(57)【要約】【課題】診察台に乗ったときは開口部が開きにくいが、医師が開口部を操作したときはすぐに開くことが容易である検診用パンツを提供する。【解決手段】２つのパンツ半部１１，１２を用いて、パンツ前面及び後面の中央部において、少なくとも２つの布により所定幅ｄ以上の重ね合わせ部１１Ｃ，１２Ｄ；１１Ｄ，１２Ｃを形成しかつパンツの中央底部の辺１１ｈ，１１ｉ，１２ｈ，１２ｉに位置する開口部３０ａ，３０ｂを除いて当該重ね合わせ部１１Ｃ，１２Ｄ；１１Ｄ，１２Ｃを縫合することにより検診用パンツを形成し、上下方向に平行又は傾斜した長手方向を有する所定長Ｌ１＝Ｌ２の開口部３０ａ，３０ｂの両端部２１ａ，２２ａを幅方向又はそれに傾斜した方向で縫合２１，２２する。【選択図】図１
2014101602.tif 000002
【特許請求の範囲】
【請求項１】
２つのパンツ半部を用いて、パンツ前面及び後面の中央部において、少なくとも１枚の布により所定幅の重ね合わせ部を形成しかつパンツの中央底部に位置する開口部を除いて当該重ね合わせ部を縫合することにより検診用パンツを形成し、上下方向に平行又は傾斜した長手方向を有する所定長の開口部の両端部を幅方向又はそれに傾斜した方向で縫合することを特徴とする検診用パンツ。
【請求項２】
上記検診用パンツの中央底部に対応する上記開口部の長手方向の中央部の幅方向の両端部から足挿入開口部の辺に向かって縫合することを特徴とする請求項１記載の検診用パンツ。
【請求項３】
上記検診用パンツの中央底部に対応する上記開口部の長手方向の中央部から上記開口部の長手方向の両端部への各距離が同一になるようにしたことを特徴とする請求項１又は２記載の検診用パンツ。
【請求項４】
上記検診用パンツの中央底部に対応する上記開口部の長手方向の中央部から上記開口部の長手方向の両端部への各距離が互いに異なるようにしたことを特徴とする請求項１又は２記載の検診用パンツ。
【請求項５】
上記開口部の上部幅をその下部幅よりも広くなるようにしたことを特徴とする請求項１〜４のうちのいずれか１つに記載の検診用パンツ。
【発明の詳細な説明】
【技術分野】
【０００１】
本発明は、例えば子宮頚癌検診など婦人科検診用等の検診用パンツに関する。
【背景技術】
【０００２】
子宮頚癌検診は２０才から受けることになっているが、日本での受診率は２０％台と低い。一般人として自覚症状がないこと、その上に検診時の脚を大きく開脚しての診察に対する羞恥心がその理由の一部としてあげられる。検診の時は患者ではなく、一般人であるという理由による。検診率を上昇させることができれば、発見早期治療による子宮頚癌の死亡率減少へ寄与できると考えられる。
【０００３】
従来、検診や診察を受けるときは下着を脱ぎ下半身は何もつけないまま診察を受けていた。診察台までの移動、診察台に坐り診察が終わって着衣するまでの間、下着や衣類をつけないため不必要な露出が多く、羞恥心もかなり大きいという問題点があった。以上の問題点を解決するために、以下の検診用パンツが種々考案されている。
【０００４】
例えば、特許文献１において、産婦人科の外陰部診察時における羞恥心の軽減の軽減するズボン（以下、第１の従来例という。）が開示されている。当該ズボンは、産婦人科外陰部診察用穴あき診察衣を作製し、この診察衣は左パンツと右パンツを、股上部分を縫い合わせずウエスト部分で重ね縫い合わせた、診察時に股上が大きく開口することを特徴としている。開口部が広いため、外陰部の診察が容易にできる。また、ズボン内側には股当てを縫いつけ、診察時以外の外陰部の露出もほとんどない。その結果、不必要な肌の露出がなくなったため、外陰部診察時の羞恥心の軽減を図っている。
【０００５】
また、例えば、特許文献２において、病院での患者の下半身での内視鏡用・注腸用の専用のトランクス（以下、第２の従来例という。）が開示されている。当該トランクスは、前後同一形状でありその一方の側に内視鏡用・注腸検査用の切込み部を持つ、光分解性、又は植物繊維使用の不織布で作られたことを特徴としている。
【先行技術文献】
【特許文献】
【０００６】
【特許文献１】特開２００４−０７６２３８号公報
【特許文献２】実開平６−００６４１８号公報
【発明の概要】
【発明が解決しようとする課題】
【０００７】
第１の従来例では開口部が広いために、診察台に乗ったときに開口部がすぐに開きやすく、露出してしまうという問題点があった。また、第２の従来例でも、切り欠け部を形成しているので、診察台に乗ったときに切り欠け部がすぐに開きやすく、露出してしまうという問題点があった。すなわち、これらのパンツなどでは、上述の問題点を解決できず、
鼠径部から下の大腿部が諸だしになり、寝たときに臀部、肛門、大腿部など全てが露出してしまう。
【０００８】
本発明の目的は以上の問題点を解決し、診察台に乗ったときは開口部が開きにくいが、医師が開口部を操作したときはすぐに開くことが容易である検診用パンツを提供することにある。
【課題を解決するための手段】
【０００９】
本発明に係る検診用パンツは、２つのパンツ半部を用いて、パンツ前面及び後面の中央部において、少なくとも１枚の布により所定幅の重ね合わせ部を形成しかつパンツの中央底部に位置する開口部を除いて当該重ね合わせ部を縫合することにより検診用パンツを形成し、上下方向に平行又は傾斜した長手方向を有する所定長の開口部の両端部を幅方向又はそれに傾斜した方向で縫合することを特徴とする。
【００１０】
上記検診用パンツにおいて、上記検診用パンツの中央底部に対応する上記開口部の長手方向の中央部の幅方向の両端部から足挿入開口部の辺に向かって縫合することを特徴とする。
【００１１】
また、上記検診用パンツにおいて、上記検診用パンツの中央底部に対応する上記開口部の長手方向の中央部から上記開口部の長手方向の両端部への各距離が同一になるようにしたことを特徴とする。
【００１２】
もしくは、上記検診用パンツにおいて、上記検診用パンツの中央底部に対応する上記開口部の長手方向の中央部から上記開口部の長手方向の両端部への各距離が互いに異なるようにしたことを特徴とする。
【００１３】
さらに、上記検診用パンツにおいて、上記開口部の上部幅をその下部幅よりも広くなるようにしたことを特徴とする。
【発明の効果】
【００１４】
本発明に係る検診用パンツによれば、前面部の開口部の右側から医師が指を挿入することにより、開口部の長手方向の長さにわたって容易に開口するが、開口しないときは、開口部の重ね合わせ部がそれぞれ少なくとも２枚の布で構成されかつ所定の幅にわたって開口部を構成しているので、被験者が診察台に座っても容易に開口することはない。従って、従来技術に比較して、診察台に乗ったときは開口部が開きにくいが、医師が開口部を操作したときはすぐに開くことが容易であり、検診時間を短縮することができる。
【図面の簡単な説明】
【００１５】
【図１】本発明の一実施形態に係る検診用パンツの正面図である。
【図２】図１の検診用パンツの真下から見たときの開閉部３０ａ，３０ｂとその周辺を示す底面図である。
【図３】図１の検診用パンツの展開図である。
【図４】本発明の第１の変形例に係る検診用パンツであって、その真下から見たときの開閉部３０ａ，３０ｂとその周辺を示す底面図である。
【図５】本発明の第２の変形例に係る検診用パンツであって、その真下から見たときの開閉部３０ａ，３０ｂとその周辺を示す底面図である。
【図６】本発明の第３の変形例に係る検診用パンツの展開図である。
【図７】本発明の第４の変形例に係る検診用パンツの展開図である。
【図８】本発明の第５の変形例に係る検診用パンツの展開図である。
【発明を実施するための形態】
【００１６】
以下、本発明に係る実施形態について図面を参照して説明する。なお、以下の各実施形態において、同様の構成要素については同一の符号を付している。
【００１７】
実施形態．
図１は本発明の一実施形態に係る検診用パンツの正面図であり、図２は図１の検診用パンツの真下から見たときの開閉部３０ａ，３０ｂとその周辺を示す底面図である。また、図３は図１の検診用パンツの展開図である。本実施形態に係る検診用パンツは、例えば子宮頚癌検診など婦人科検診用パンツであって、例えば不織布などの布にてなる２枚のパンツ半部（以下、検診用パンツを形成するためのパンツ布の半分の部分をいう。）１１，１２を用いて、パンツ前面及び後面の中央部において、少なくとも２枚の布により所定幅ｄの重ね合わせ部１１Ｃ，１２Ｄ；１１Ｄ，１２Ｃを形成しかつパンツの中央底部の辺１１ｈ，１１ｉ，１２ｈ，１２ｉに位置する開口部３０ａ，３０ｂを除いて当該重ね合わせ部１１Ｃ，１２Ｄ；１１Ｄ，１２Ｃを縫合することにより検診用パンツを形成し、上下方向に平行又は傾斜した長手方向を有する所定長Ｌ１＝Ｌ２（Ｌ１＝Ｌ２は好ましくは５〜１５ｃｍ、より好ましくは１０ｃｍである。）の開口部３０ａ，３０ｂの両端部２１ａ，２２ａを幅方向又はそれに傾斜した方向で縫合２１，２２（以下、第１の縫合部という。）することを特徴としている。また、上記検診用パンツの中央底部の辺１１ｈ，１１ｉ，１２ｈ，１２ｉに対応する上記開口部３０ａ，３０ｂの長手方向の中央部の幅方向の両端部から足挿入開口部の辺１１ｙ，１１ｚ；１２ｚ，１２ｙに向かって縫合２３，２４（以下、第２の縫合部という。）することを特徴としている。
【００１８】
図３において、２つのパンツ半部１１及び２２は互いに同一の形状を有する。パンツ半部１１は、重ね合わせ部１１Ｃ、前面部１１Ａ、後面部１１Ｂ、重ね合わせ部１１Ｄの順序で連結されて構成され、右回りでの順序で、胴挿入開口部の辺１１ｘと、重ね合わせ部の辺１１ｂ，１１ｉと、第２の縫合部の辺１１ｇと、足挿入開口部の辺１１ｚ，１１ｙと、第２の縫合部の辺１１ｆと、重ね合わせ部の辺１１ａとを有する。１１ｃは胴横側に位置する折り線であり、１１ｄ，１１ｅは境界線である。ここで、重ね合わせ部１１Ｃ，１１Ｄはそれぞれ所定の幅ｄ（好ましくは、５ｃｍ〜３０ｃｍ、より好ましくは２０ｃｍ）を有し、重ね合わせ部１１Ｃ，１１Ｄの下部における長さＬ１又はＬ２の部分は検診用パンツ形成後に開口面３０ａ，３０ｂとなる。
【００１９】
また、パンツ半部１２は、重ね合わせ部１２Ｃ、後面部１２Ｂ、前面部１２Ａ、重ね合わせ部１２Ｄの順序で連結されて構成され、右回りでの順序で、胴挿入開口部の辺１２ｘと、重ね合わせ部の辺１２ｂ，１２ｉと、第２の縫合部の辺１２ｇと、足挿入開口部の辺１２ｚ，１２ｙと、第２の縫合部の辺１２ｆと、重ね合わせ部の辺１２ａとを有する。１２ｃは胴横側に位置する折り線であり、１２ｄ，１２ｅは境界線である。ここで、重ね合わせ部１２Ｃ，１２Ｄはそれぞれ所定の幅ｄ（好ましくは、５ｃｍ〜３０ｃｍ、より好ましくは２０ｃｍ）を有し、重ね合わせ部１２Ｃ，１２Ｄの下部における長さＬ１又はＬ２の部分は検診用パンツ形成後に開口面３０ａ，３０ｂとなる。
【００２０】
本実施形態において、図２及び図３に示すように、上記検診用パンツの中央底部の辺１１ｈ，１１ｉ，１２ｈ，１２ｉに対応する開口部３０ａ，３０ｂの長手方向の中央部から開口部３０ａ，３０ｂの長手方向の両端部（縫合部分２１，２２ａに対応する）への各距離Ｌ１，Ｌ２が同一になるように設定される（Ｌ１＝Ｌ２）。
【００２１】
なお、パンツ半部１１，１２の素材は、好ましくは光分解性又は植物性の不織布であって、使い捨てても分解容易であり、公害を引き起こさない。
【００２２】
以上のように構成されたパンツ半部１１，１２を用いて、第１の縫合部において、重ね合わせ部１２Ｄが上部となるように重ね合わせ部１１Ｃの上に重ねかつ、重ね合わせ部１１Ｄが上部となるように重ね合わせ部１２Ｃの上に重ね、図１及び図２に示すように、前面部及び後面部のそれぞれにおいて、重ね合わせ部１２Ｄ，１１Ｃ；１１Ｄ，１２Ｃの辺よりも若干（１ｍｍ〜３ｍｍ）内側に沿って、開口部３０ａ，３０ｂを除いて縫合２１，２２することにより円筒形状の検診用パンツを形成する。また、胴挿入開口部の辺１１ｘ，１２ｘについては内側に折り曲げた後、ゴム１３を挿入して縫合することによりウエスト部を形成する。さらに、第２の縫合部において、検診用パンツの中央底部の辺１１ｈ，１１ｉ，１２ｈ，１２ｉに対応する開口部３０ａ，３０ｂの長手方向の中央部の幅方向の両端部から足挿入開口部の辺１１ｙ，１１ｚ；１２ｚ，１２ｙに向かって、辺１２ｇ及び１２ｆを重ね合せてその内側を縫合２３し、辺１１ｇ及び１１ｆを重ね合せてその内側を縫合２４することにより、両足の挿入部分を形成する。
【００２３】
以上のように構成された検診用パンツにおいて、前面部の開口部３０ａの右側から医師が指を挿入することにより、開口部３０ａ，３０ｂの長さ（Ｌ１＋Ｌ２）にわたって容易に開口するが、開口しないときは、開口部３０ａ，３０ｂの重ね合わせ部がそれぞれ２枚の布で構成されかつ所定の幅ｄにわたって開口部３０ａ，３０ｂを構成しているので、被験者が診察台に座っても容易に開口することはない。
【００２４】
第１の変形例．
図４は本発明の第１の変形例に係る検診用パンツであって、その真下から見たときの開閉部３０ａ，３０ｂとその周辺を示す底面図である。第１の変形例に係る検診用パンツは、図４に示すように、図２に比較して、開口部３０ａ，３０ｂを検診用パンツの上下方向から左回りに所定の角度（好ましくは５度〜３０度、より好ましくは１０度〜２０度）だけ傾斜させるように形成したことを特徴としている。このように開口部３０ａ，３０ｂを傾斜されることで、実際に開口する開口部分の幅方向の長さを実施形態に比較して大きくすることができる検診を容易にすることができる。
【００２５】
第２の変形例．
図５は本発明の第２の変形例に係る検診用パンツであって、その真下から見たときの開閉部３０ａ，３０ｂとその周辺を示す底面図である。第２の変形例に係る検診用パンツは、図５に示すように、図２に比較して、開口部３０ａ，３０ｂを検診用パンツの上下方向から右回りに所定の角度（好ましくは５度〜３０度、より好ましくは１０度〜２０度）だけ傾斜させるように形成したことを特徴としている。このように開口部３０ａ，３０ｂを傾斜されることで、実際に開口する開口部分の幅方向の長さを実施形態に比較して大きくすることができる検診を容易にすることができる。
【００２６】
第３の変形例．
図６は本発明の第３の変形例に係る検診用パンツの展開図である。第３の変形例に係る検診用パンツは、図６に示すように、図３に比較して、パンツ半部１１の重ね合わせ部１１Ｄの開口部３０ｂを削除して切り欠け部１１ｊを形成し、パンツ半部１２の重ね合わせ部１２Ｄの開口部３０ａを削除して切り欠け部１２ｊを形成することで、１枚の布により所定幅ｄの重ね合わせ部１１Ｃ，１２Ｃを形成する。これにより、前面部の開口部３０ａの右側から医師が指を挿入することにより、実施形態に比較して開口部３０ａ，３０ｂを容易に開口しやすくできる。
【００２７】
第４の変形例．
図７は本発明の第４の変形例に係る検診用パンツの展開図である。第４の変形例に係る検診用パンツは、図７に示すように、図３に比較して、以下のことが異なる。
（ａ）重ね合わせ部１１Ｅの右側に、その幅ｄよりも狭い幅ｄ１を有する折り返し部１１Ｅを延在させること。
（ｂ）重ね合わせ部１２Ｅの右側に、その幅ｄよりも狭い幅ｄ１を有する折り返し部１２Ｅを延在させること。
（ｃ）前面部１１Ａの辺１１ｙ及び後面部１１Ｂの辺１１ｚとを一直線に形成したこと。
（ｄ）後面部１２Ｂの辺１２ｙ及び前面部１２Ａの辺１２ｚとを一直線に形成したこと。
ここで、折り返し部１１Ｅは辺１１ｂを内側の折り線にして折り返して、パンツ半部１１，１２の合体時に重ね合わせ部１１Ｄ及び１２Ｃと重ねることで当該部分を補強することができる。また、折り返し部１２Ｅは辺１２ｂを内側の折り線にして折り返して、パンツ半部１１，１２の合体時に重ね合わせ部１２Ｄ及び１１Ｃと重ねることで当該部分を補強することができる。さらに、辺１１ｙ，１１ｚ及び辺１２ｙ，１２ｚをそれぞれ一直線にすることで、パンツ半部１１，１２の形成を容易にできるという効果を有する。
【００２８】
第５の変形例．
図８は本発明の第５の変形例に係る検診用パンツの展開図である。第５の変形例に係る検診用パンツは、図８に示すように、図３に比較して、以下のことが異なる。
（ａ）重ね合わせ部１１Ｃの上部幅をｄ２（＜ｄ）とし、下部幅をｄ３（＜ｄ２）とし、辺１１ａを上部では直線であるが下部で外側になるような曲線部１１ａｃを有するように、重ね合わせ部１１Ｃを構成した。
（ｂ）重ね合わせ部１１Ｄの上部幅をｄ２（＜ｄ）とし、下部幅をｄ４（＜ｄ３）とし、辺１１ｂを上部では直線であるが下部で外側になるような曲線部１１ｂｃを有するように、重ね合わせ部１１Ｄを構成した。
（ｃ）重ね合わせ部１２Ｄの上部幅をｄ２（＜ｄ）とし、下部幅をｄ３（＜ｄ２）とし、辺１１ｂを上部では直線であるが下部で外側になるような曲線部１２ｂｃを有するように、重ね合わせ部１２Ｄを構成した。
（ｄ）重ね合わせ部１２Ｃの上部幅をｄ２（＜ｄ）とし、下部幅をｄ４（＜ｄ３）とし、辺１２ａを上部では直線であるが下部で外側になるような曲線部１２ａｃを有するように、重ね合わせ部１２Ｃを構成した。
（ｅ）前面部１１Ａの辺１１ｙと、後面部１１Ｂの辺１１ｚとを円弧となるように変形することともに、左右端部で境界線１１ｄ，１１ｅから伸長して延在するように構成した。
（ｆ）後面部１２Ｂの辺１２ｙと、前面部１２Ａの辺１２ｚとを円弧となるように変形することともに、左右端部で境界線１２ｄ，１２ｅから伸長して延在するように構成した。
（ｇ）辺１１ｙの左端部の先端からの辺１１ｆは直線で境界線１１ｄからの距離が大きくなるように斜め方向で延在し、辺１１ｈなしで曲線部１１ａｃの先端に連結されるように構成した。なお、辺１１ｆにおいて開口部３０ａを除く部分のみ辺１１ｆに沿って辺１２ｇと縫合する。
（ｈ）辺１１ｚの右端部の先端からの辺１１ｇは直線で境界線１１ｅからの距離が大きくなるように斜め方向で延在し、辺１１ｉなしで曲線部１１ｂｃの先端に連結されるように構成した。なお、辺１１ｇにおいて開口部３０ｂを除く部分のみ辺１１ｇに沿って辺１２ｆと縫合する。
（ｉ）辺１２ｙの左端部の先端からの辺１２ｆは直線で境界線１２ｄからの距離が大きくなるように斜め方向で延在し、辺１２ｈなしで曲線部１２ａｃの先端に連結されるように構成した。なお、辺１２ｆにおいて開口部３０ｂを除く部分のみ辺１２ｆに沿って辺１１ｇと縫合する。
（ｊ）辺１２ｚの右端部の先端からの辺１２ｇは直線で境界線１２ｅからの距離が大きくなるように斜め方向で延在し、辺１２ｉなしで曲線部１２ｂｃの先端に連結されるように構成した。なお、辺１２ｇにおいて開口部３０ａを除く部分のみ辺１２ｇに沿って辺１１ｆと縫合する。
【００２９】
ここで、（ａ）〜（ｄ）の構成により、開口部３０ａ，３０ｂの上部幅を図３及びその下部幅に比較して広くできるので、患者が座っているときは開口部３０ａ，３０ｂを若干開きにくいが、一旦開けば、大きな開口が得られるという特有の効果を有する。また、（ａ）〜（ｄ）におけるｄ４＞ｄ３の構成及び（ｅ）〜（ｊ）の構成により患者の前面部よりも後面部の方が体積を大きくとることができ、特に臀部の収容を容易に行うことができる。さらに、（ｅ）及び（ｆ）の円弧形状により、脚部開口部をより大きくすることができ、脚部を容易に挿入又は抜去することができる。
【００３０】
以上説明したように、第５の変形例によれば、開口部３０ａ，３０ｂの上部幅をそれらの下部幅よりも広くなるようにしたので、患者が座っているときは開口部３０ａ，３０ｂを若干開きにくいが、一旦開けば、大きな開口が得られるという特有の効果を有する。この構成は上述の各実施形及び各変形例に適用することができる。
【００３１】
他の変形例．
以上の実施形態においては、検診用パンツの中央底部の辺１１ｈ，１１ｉ，１２ｈ，１２ｉに対応する開口部３０ａ，３０ｂの長手方向の中央部から開口部３０ａ，３０ｂの長手方向の両端部への各距離Ｌ１，Ｌ２が同一になるように設定されているが（Ｌ１＝Ｌ２）、本発明はこれに限らず、検診用パンツの中央底部の辺１１ｈ，１１ｉ，１２ｈ，１２ｉに対応する開口部３０ａ，３０ｂの長手方向の中央部から開口部３０ａ，３０ｂの長手方向の両端部（縫合部分２１，２２ａに対応する）への各距離Ｌ１，Ｌ２が互いに異なるように設定されてもよい（Ｌ１≠Ｌ２）。ここで、例えば被験者の前面部に近い部分を検診する場合は、Ｌ１＞Ｌ２とすることが好ましく、例えば被験者の後面部に近い部分を検診する場合は、Ｌ１＜Ｌ２とすることが好ましい。しかし汎用性を考えると、より好ましくはＬ１＝Ｌ２と設定することが好ましい。
【００３２】
第１の従来例との対比．
第１の従来例に係る診察衣は「股上を縫い合わせることなくウエストで重ね合わせて外陰部に開閉可能な開口部を持たせた、産婦人科外陰部診察において患者が使用する産婦人科外陰部診察用穴あき診察衣である。また、ズボン内側に片側が取り外し可能な股当てを縫い付けた産婦人科外陰部診察用穴あき診察衣」である。当該診察衣では、股上を縫い合わせることなくウエストで重ね合わせて外陰部に開閉可能な開口部を形成しているので、被験者が診察台に座ったときに開口部が容易に開いてしまうという問題点があった。これに対して、本発明では、「少なくとも１枚の布により所定幅の重ね合わせ部を形成しかつパンツの中央底部に位置する開口部を除いて当該重ね合わせ部を縫合することにより検診用パンツを形成し、上下方向に平行又は傾斜した長手方向を有する所定長の開口部の両端部を幅方向又はそれに傾斜した方向で縫合する」ので、開口部の両端部で幅方向の縫合があり、被験者が診察台に座ったときに開口部が容易に開らかないという特有の効果を有する。
【００３３】
第２の従来例との対比．
第２の従来例に係るトランクスは、「前後同一形状でありその一方の側に内視鏡用・体内検査用の切込み部を持つ、光分解性又は植物繊維使用の不織布で作られた内視鏡用・体内検査用トランクス」である。当該トランクスでは、ただ単に、切込み部のみを持つので、第１の従来例と同様に、被験者が診察台に座ったときに開口部が容易に開いてしまうという問題点があった。これに対して、本発明では、「少なくとも１枚の布により所定幅の重ね合わせ部を形成しかつパンツの中央底部に位置する開口部を除いて当該重ね合わせ部を縫合することにより検診用パンツを形成し、上下方向に平行又は傾斜した長手方向を有する所定長の開口部の両端部を幅方向又はそれに傾斜した方向で縫合する」ので、開口部の両端部で幅方向の縫合があり、被験者が診察台に座ったときに開口部が容易に開らかないという特有の効果を有する。
【産業上の利用可能性】
【００３４】
以上詳述したように、本発明に係る検診用パンツによれば、前面部の開口部の右側から医師が指を挿入することにより、開口部の長手方向の長さにわたって容易に開口するが、開口しないときは、開口部の重ね合わせ部がそれぞれ少なくとも２枚の布で構成されかつ所定の幅にわたって開口部を構成しているので、被験者が診察台に座っても容易に開口することはない。従って、従来技術に比較して、診察台に乗ったときは開口部が開きにくいが、医師が開口部を操作したときはすぐに開くことが容易であり、検診時間を短縮することができる。
【符号の説明】
【００３５】
１１，１２…パンツ半部、
１１ａ〜１１ｃ，１１ｆ〜１１ｊ，１１ｘ，１１ｙ，１１ｚ，１２ａ〜１２ｃ，１２ｆ〜１２ｊ，１２ｘ，１２ｙ，１２ｚ…辺、
１１ｄ，１１ｅ，１２ｄ，１２ｅ…境界線、
１１ｊ，１２ｊ…切り欠け部、
１１ａｃ，１１ｂｃ，１２ａｃ，１２ｂｃ…曲線部、
１１Ａ，１２Ａ…前面部、
１１Ｂ，１２Ｂ…後面部、
１１Ｃ，１１Ｄ，１２Ｃ，１２Ｄ…重ね合わせ部、
１１Ｅ，１２Ｅ…折り返し部、
１３…ゴム部、
２１，２２，２３，２４…縫い目、
３０ａ，３０ｂ…開閉部。
【図１】
2014101602.tif 000003
【図２】
2014101602.tif 000004
【図３】
2014101602.tif 000005
【図４】
2014101602.tif 000006
【図５】
2014101602.tif 000007
【図６】
2014101602.tif 000008
【図７】
2014101602.tif 000009
【図８】
2014101602.tif 000010